(57)【要約】【課題】装着者が、口腔内で使用される歯科材料に情報格納素子を内蔵させ、長期間使用しても、安心して生活できる情報格納装置を提供する。【解決手段】情報格納装置は、人工歯１０の咬合面側の中央部に形成された凹部１１に、充填用樹脂材が充填されて充填部が形成され、この充填部内に、装着者を特定する情報が情報読取装置により電気的に読み取られる情報格納素子１３が埋設されている。この充填部は、情報格納素子１３を埋設する第１充填部１２ａと、第１充填部１２ａの蓋となる第２充填部１２ｂとにより形成され、異なる色に着色されている。従って、歯科医師や歯科技工士が人工歯１０を咬合面から切削するときに、第２充填部１２ｂとは異なる色の第１充填部１２ａが露出することで、第２充填部１２ｂを深堀りし過ぎたことに気が付くため、誤って情報格納素子１３を傷付けたり、壊したりすることを防止することができる。【選択図】図６
2018089393.tif 000002
【特許請求の範囲】
【請求項１】
装着者の口腔内で使用される歯科用部材の凹部に、充填用樹脂材が充填され、前記装着者を特定する情報が情報読取装置により電気的に読み取られる情報格納素子が、封止用樹脂材により封止された状態で、前記充填用樹脂材内に配置されて埋設され、
前記凹部に充填された充填用樹脂材による充填部は、前記情報格納素子を埋設する第１充填部と、前記第１充填部の蓋となる第２充填部とにより形成され、
前記第１充填部と前記第２充填部とは、異なる色に着色されたことを特徴とする情報格納装置。
【請求項２】
前記情報格納素子を封止する封止用樹脂材による封止部は、前記封止用樹脂材により前記情報格納素子の表面に形成された皮膜層である請求項１記載の情報格納装置。
【請求項３】
前記封止部は、前記皮膜層を第１封止部とし、更に封止用樹脂材により第２封止部を形成したものである請求項２記載の情報格納装置。
【請求項４】
前記第２封止部は、前記充填用樹脂材より軟質に形成されている請求項３記載の情報格納装置。
【請求項５】
前記凹部の周囲壁は、前記凹部の底部から凹曲面を介して立ち上がっている請求項１から４のいずれかの項に記載の情報格納装置。
【発明の詳細な説明】
【技術分野】
【０００１】
本発明は、装着者を特定する情報が格納され、この情報が情報読取装置により電気的に読み取られる情報格納素子が、歯科用部材に収納された情報格納装置に関するものである。
【背景技術】
【０００２】
事故や災害などで負傷したり死亡したりした被害者の身元を調査するのは、免許証や保険証などを携帯していない場合には困難である。このような場合に対処するために、様々な技術が開発されている（例えば、特許文献１から３参照。）。
【０００３】
特許文献１に記載された個人データ保存装置は、歯冠補綴物の穴に、氏名、血液型、既往症などの個人データを記憶させた素子を内蔵して、表側から比較的薄い蓋を被せ、その周囲をロー付け、電子ビーム溶接、あるいは接着などして密封したというものである。
【０００４】
特許文献２に記載の身分識別装置は、歯科用インプラントキャリアと、この歯科用インプラントキャリア内の情報記憶素子とを備え、身分識別装置を用いることによって、使用者の身分識別が行なわれるというものである。
【０００５】
特許文献３に記載の有床義歯は、装着者を特定する情報が格納され、情報を無線信号として送信する発信素子が、義歯床に支持された人工歯に内蔵されているというものである。
【先行技術文献】
【特許文献】
【０００６】
【特許文献１】特開平７−２４１３０１号公報
【特許文献２】実用新案登録第３１６５８７３号公報
【特許文献３】特開２０１３−１０９７４５号公報
【発明の概要】
【発明が解決しようとする課題】
【０００７】
素子は、半導体により形成される。素子を口腔内の人工歯や歯冠補綴物、入歯の義歯床などの歯科用部材に収納して、長期間、唾液などに晒すと、有害な物質が溶出するおそれがある。
【０００８】
特許文献１〜３に記載された従来の情報格納装置では、その点が考慮されていない。特許文献１に記載の個人データ保存装置には、素子の周囲を断熱材で包み込んで埋めることが記載されている。しかし、断熱材で素子の周囲を素子の周囲を包み込んでも、素子から溶出することまで防止できるか判然としない。また、特許文献１に記載の個人データ保存装置では、断熱材で包み込んだ素子は、歯冠補綴物の穴に内蔵させ、表側から比較的薄い蓋を被せているため、断熱材から漏れた有害物質は蓋からも漏れ出すおそれがある。
従って特許文献１〜３に記載された従来の情報格納装置では、長期間使用することには向かないと思われる。
【０００９】
そこで本発明は、装着者が、口腔内で使用される歯科材料に情報格納素子を内蔵させ、長期間使用しても、安心して生活できる情報格納装置を提供することを目的とする。
【課題を解決するための手段】
【００１０】
本発明の情報格納装置は、装着者の口腔内で使用される歯科用部材の凹部に、充填用樹脂材が充填され、前記装着者を特定する情報が情報読取装置により電気的に読み取られる情報格納素子が、封止用樹脂材により封止された状態で、前記充填用樹脂材内に配置されて埋設され、前記凹部に充填された充填用樹脂材による充填部は、前記情報格納素子を埋設する第１充填部と、前記第１充填部の蓋となる第２充填部とにより形成され、前記第１充填部と前記第２充填部とは、異なる色に着色されたことを特徴とする。
【００１１】
本発明の情報格納装置によれば、情報格納素子が充填用樹脂材により形成された充填部に埋設されているだけでなく、封止用樹脂材により形成された封止部により封止されているため、情報格納素子からの人体に影響を与えるような有害物質が充填部から漏れ出ることを防止することができる。
情報格納素子を埋設する第１充填部と、第１充填部の蓋となる第２充填部とにより形成されているため、蓋となる第２充填部は固く、第１充填部は第２充填部より軟質なものとしたり、異なる色としたりして、充填用樹脂材の性質を異なるものとすることができる。
そして、第１充填部と第２充填部とが異なる色に着色されているため、歯科医師や歯科技工士が第２充填部を切削するときに、第２充填部とは異なる色の第１充填部が露出することで、第２充填部を深堀りし過ぎたことに気が付くため、人工歯を切削するときに、誤って情報格納素子を傷付けたり、壊したりすることを防止することができる。
【００１２】
前記情報格納素子を封止する封止用樹脂材による封止部が、前記封止用樹脂材により前記情報格納素子の表面に形成された皮膜層であると、封止部の厚みを薄く形成することができるため、凹部の開口を狭くでき、凹部の深さを浅く形成することができる。
【００１３】
前記封止部は、前記皮膜層を第１封止部とし、更に封止用樹脂材により第２封止部を形成したものとすると、更に、情報格納素子からの有害物質が充填用樹脂材から漏れ出ることを防止することができる。
【００１４】
前記第２封止部が、前記充填用樹脂材より軟質に形成されていると、情報格納素子への噛み合わせの圧力を、第２封止部が受けて圧力を緩和するため、情報格納素子への圧力の影響を軽減することができる。
【００１５】
前記凹部の周囲壁は、前記凹部の底部から凹曲面を介して立ち上がっていると、外部からの圧力を凹部の周囲壁が受け、凹曲面が緩和するため、充填部のクラックの発生を抑えることができる。
【発明の効果】
【００１６】
本発明は、封止用樹脂材により形成された封止部により封止されているため、情報格納素子からの人体に影響を与えるような有害物質が充填部から漏れ出ることを防止することができるので、装着者が、口腔内で使用される歯科材料に情報格納素子を内蔵させ、長期間使用しても、安心して生活できる。
【図面の簡単な説明】
【００１７】
【図１】本発明の実施の形態１に係る情報格納装置を人工歯に内蔵させた状態を示す斜視図である。
【図２】図１に示す情報格納装置の断面図である。
【図３】図１に示す情報格納装置の情報格納素子が封止部により封止された状態の斜視図である。
【図４】本発明の実施の形態２に係る情報格納装置の情報格納素子が第１封止部および第２封止部により封止された状態を示す側断面図である。
【図５】図４に示す情報格納素子が人工歯に形成された凹部に内蔵された状態の断面図である。
【図６】本発明の実施の形態３に係る情報格納装置の情報格納素子が人工歯に形成された凹部に内蔵された状態の断面図である。
【図７】本発明の他の実施の形態に係る有床義歯を示す斜視図である。
【発明を実施するための形態】
【００１８】
（実施の形態１）
本発明の実施の形態１に係る情報格納装置について、図面に基づいて説明する。本実施の形態１に係る情報格納装置では、装着者の口腔内で使用される歯科用部材の一例として「人工歯」に「情報格納素子」を格納した場合を説明する。
図１に示す情報格納装置は、人工歯１０の咬合面Ｓ側の中央部に形成された凹部１１に、充填用樹脂材が充填されて充填部１２が形成され、この充填部１２内に情報格納素子１３が埋設されている。
【００１９】
人工歯１０は、陶歯やレジン歯、金属歯などが使用できる。人工歯１０は、左上、右上、左下および右下の１番から３番までとすることができるが、咬合面が広く、中央部に凹部１１が形成しやすいため、それぞれの４番から７番とするのが望ましい。
凹部１１は、図２に示すように、円筒形状に形成された周囲壁１１ａが、底部１１ｂから凹曲面１１ｃを介して立ち上がっている。
【００２０】
充填部１２を形成する充填用樹脂材は、歯科用樹脂が使用できる。例えば、歯科用樹脂は、アクリル系樹脂やシリコーン樹脂などとすることができる。この充填部１２は、凹部１１内に、充填用樹脂材をポッティングにより滴下したり、注入器より充填用樹脂材を注入したりして形成することができる。充填用樹脂材は、人工歯１０と同じ色としてもよいし、異なる色としてもよい。充填部１２（充填用樹脂材）を人工歯１０と同じ色とすると、情報格納素子１３が内蔵された歯が他から識別できないため、目立たないようにすることができる。
また、充填用樹脂材を人工歯１０と異なる色とすると、充填部１２の位置が外観から識別できるので、情報読取装置により情報を電気的に読み取ろうとする操作者は、情報格納素子１３が内蔵された歯の位置を一目で識別できる。
【００２１】
情報格納素子１３は、非接触式のパッシブダグ型のＲＦＩＤタグとすることができる。情報格納素子１３には、データベースに登録された個人情報と関連付けられていることで、個人を間接的に特定するための識別情報（ＩＤ情報）が格納されている。また、情報格納素子１３の記憶容量が十分である場合には、個人を特定するための識別情報の他に、氏名、住所、生年月日、性別、血液型、治療に掛かった歯科医院を特定する病院名や病院を識別するコードなどの個人情報を情報格納素子１３に格納することができる。更に、情報格納素子１３の記憶容量に余裕がある場合には、連絡先となる家族や病歴、投薬歴のほか社会歴、家族歴などが格納できる。特に、装着者が認知症を患っている場合には、情報格納素子１３に連絡先となる家族に関する情報が格納されていると、徘徊する装着者の身元がすぐに確認でき、家族に連絡を取ったり、装着者の治療の許可を得るときに、すぐに連絡を取ったりすることができる。情報格納素子１３は、図示しない情報読取装置から電波が照射されて起電力を得ることで、情報格納素子１３内に記憶させた各種情報を情報読取装置へ送信して、電気的に情報が読み取られる。
【００２２】
図３に示すように、情報格納素子１３は、薄皮のような皮膜層により形成された封止部１４により覆われ封止されている。封止部１４を形成する封止用樹脂材は、例えば、人体に安全なパラキシリレン樹脂が使用できる。このパラキシリレン樹脂を化学気相蒸着法（ＣＶＤ）により情報格納素子１３にコーティングすることで、０．１μｍから５０μｍ程度に薄い皮膜層による封止部１４を、情報格納素子１３に密着した状態で形成することができる。また、封止部１４を必要に応じて５０μｍ以上の厚みとすることもできる。
【００２３】
以上のように構成された本発明の実施の形態１に係る情報格納装置においては、情報格納素子１３が充填用樹脂材により形成された充填部１２に埋設されているだけでなく、封止用樹脂材により形成された封止部１４により封止されている。そのため、情報格納素子１３からの人体に影響を与えるような有害物質が充填部１２から漏れ出ることを防止することができる。
従って、情報格納装置は、装着者が、口腔内で使用される歯科材料に情報格納素子１３を内蔵させ、長期間使用しても、安心して生活できる。
【００２４】
また、封止部１４が皮膜層により形成されていることで、封止部１４の厚みを薄く形成することができるため、凹部１１の開口を狭くでき、凹部１１の深さを浅く形成することができる。
【００２５】
また、人工歯１０と対合する歯との噛み合わせにより圧力が凹部１１に掛かっても、凹部１１の周囲壁１１ａが、底部１１ｂから凹曲面１１ｃを介して立ち上がっていることで、噛み合わせの圧力を凹曲面１１ｃが緩和するため、充填部１２のクラックの発生を抑えることができる。
【００２６】
（実施の形態２）
本発明の実施の形態２に係る情報格納装置について、図面に基づいて説明する。本実施の形態２に係る情報格納装置では、図４および図５に示すように、情報格納素子１３を封止する封止部が第１封止部１４ａと第２封止部１４ｂとから形成されていることを特徴とするものである。なお、図４および図５においては、図２および図３と同じ構成のものは同符号を付して説明を省略する。
【００２７】
第１封止部１４ａは、実施の形態１に係る情報格納装置の封止部１４（図３参照）である。この皮膜層により形成された第１封止部１４ａにより覆われた情報格納素子１３は、更に、楕円球状の第２封止部１４ｂにより封止されている。
このように、情報格納素子１３が第１封止部１４ａだけでなく、第２封止部１４ｂにより封止されていることで、更に、情報格納素子１３からの有害物質が充填部１２から漏れ出ることを防止することができる。
【００２８】
この第２封止部１４ｂは、充填用樹脂材により形成された充填部１２より軟質な樹脂材により形成されている。そのため、人工歯１０と対合する歯との噛み合わせにより圧力が凹部１１に掛かり、充填部１２がこの圧力を受けても、情報格納素子１３へは、第２封止部１４ｂが受けて圧力を緩和するため、情報格納素子１３への圧力の影響を軽減することができる。
【００２９】
（実施の形態３）
本発明の実施の形態３に係る情報格納装置について、図面に基づいて説明する。本実施の形態３に係る情報格納装置では、図６に示すように、情報格納素子１３を埋設する充填部１２が、第１充填部１２ａと第２充填部１２ｂとから形成されていることを特徴とするものである。なお、図６においては、図２と同じ構成のものは同符号を付して説明を省略する。
【００３０】
第１充填部１２ａは、情報格納素子１３を埋設する程度の深さに形成されている。また第２充填部１２ｂは、第１充填部１２ａの蓋となるように、おもて面が咬合面Ｓに合わせて形成されている。
【００３１】
充填部が第１充填部１２ａと第２充填部１２ｂとに分かれていることで、充填用樹脂材の性質を異なるものとすることができる。
例えば、対合する歯との噛み合わせでも、しっかりと噛めるように、蓋となる第２充填部１２ｂは固く、情報格納素子１３に対する衝撃を緩和させるために、第１充填部１２ａは第２充填部１２ｂより軟質なものとすることができる。
【００３２】
また、第１充填部１２ａと第２充填部１２ｂとを異なる色とすることができる。第１充填部１２ａと第２充填部１２ｂとを異なる色とすることにより、歯科医師や歯科技工士が人工歯１０を咬合面Ｓから切削するときに、第２充填部１２ｂとは異なる色の第１充填部１２ａが露出することで、第２充填部１２ｂを深堀りし過ぎたことに気が付く。従って、歯科医師や歯科技工士が人工歯１０を切削するときに、誤って情報格納素子１３を傷付けたり、壊したりすることを防止することができる。
【００３３】
第２充填部１２ｂを人工歯１０と同じ色としたり、異なる色としたりすることができる。第２充填部１２ｂ（充填用樹脂材）を人工歯１０と同じ色とすると、情報格納素子１３が内蔵された歯が他から識別できないため、目立たないようにすることができる。
また、第２充填部１２ｂを人工歯１０と異なる色とすると、第２充填部１２ｂの位置が外観から識別できるので、情報読取装置により情報を電気的に読み取ろうとする操作者は、情報格納素子１３が内蔵された歯の位置を一目で識別できる。
【００３４】
このように、情報格納素子１３が埋設される充填部が、第１充填部１２ａだけでなく、第２充填部１２ｂが被されていることにより、更に、情報格納素子１３からの有害物質が第２充填部１２ｂから漏れ出ることを防止することができる。
【００３５】
以上、本発明の実施の形態１〜３に係る情報格納装置について説明したが、本発明は、上記実施の形態１〜３に限定されるものではない。本実施の形態１〜３では、情報格納素子１３が人工歯１０の咬合面Ｓ側を凹部１１の開口として格納されていたが、人工歯１０の歯肉側（基底面）に凹部１１を形成するようにしてもよい。
また、人工歯を備えた有床義歯を作製する際に人工歯の高さが高いときに、人工歯の高さを低くするために、技工士が人工歯の基底面を切削する。そのとき、情報格納素子１３が人工歯１０の基底面に埋設され、第１充填部１２ａと第２充填部１２ｂとが異なる色で形成されていると、人工歯の基底面の削り過ぎを防止することができる。
【００３６】
また、情報格納素子１３は人工歯１０だけでなく情報格納素子１３を、図７に示すように、有床義歯１００に内蔵させるときに、それぞれの構成部材（人工歯１０，義歯床１０１，バー１０２，クラスプ１０３）のいずれかの凹部１１に内蔵されたり、組み合わせたり、または全部に内蔵させたりすることができる。また、情報格納素子１３を、複数の人工歯１０に内蔵させたり、義歯床１０１の左右両方の歯肉部分に内蔵させたりすることもできる。複数の情報格納素子１３を内蔵させるときには、情報が同じ情報格納素子１３、または情報が異なる情報格納素子１３を内蔵させることができる。このとき、情報格納素子１３は、実施の形態１に係る封止部１４で封止したり、実施の形態２に係る第１封止部および第２封止部で封止したり、凹部１１は、実施の形態１に係る充填部１２が充填されていたり、実施の形態３に係る第１充填部１２ａおよび第２充填部１２ｂが充填されていたりしてもよい。
また、本発明の情報格納装置は、歯冠補綴物にも適用することができる。
情報格納素子１３を内蔵する歯科用部材が金属製であっても、情報格納素子１３は充填部に包まれているため、電気的に読取りが可能である。
【産業上の利用可能性】
【００３７】
本発明は、差し歯用歯牙、インプラント用歯牙、ブリッジ用歯牙、総入れ歯用歯牙などの人工歯、有床義歯の義歯床，バー，クラスプ、または歯冠補綴物などに好適である。また、本発明は、装着者の身元の確認が容易にできるので、歯科、医科診療所、医科病院、老人保険施設、障害者福祉施設、学校、会社などで有効に活用できる。特に、本発明は、事故や災害時に、身元不明者の身元確認に最適である。
【符号の説明】
【００３８】
１０  人工歯
１１  凹部
１１ａ  周囲壁
１１ｂ  底部
１１ｃ  凹曲面
１２  充填部
１２ａ  第１充填部
１２ｂ  第２充填部
１３  情報格納素子
１４  封止部
１４ａ  第１封止部
１４ｂ  第２封止部
１００  有床義歯
１０１  義歯床
１０２  バー
１０３  クラスプ
Ｓ  咬合面
【図１】
2018089393.tif 000003
【図２】
2018089393.tif 000004
【図３】
2018089393.tif 000005
【図４】
2018089393.tif 000006
【図５】
2018089393.tif 000007
【図６】
2018089393.tif 000008
【図７】
2018089393.tif 000009